(57)【要約】【課題】落葉等の塵芥は樹木の下には勿論、広い範囲に拡散したり風等で構造物の隅や狭い場所に溜まる場合もあり大形の機械による収集は一部に限られるので、経済的で狭い場所でも手軽に使え、しかも塵芥を効率よく細断して収納袋の付け替えや排出する頻度を低減した小形の塵芥収集機を提供する。【解決手段】水平方向に回転し地表より塵芥を吸引するファン４３と、ファン４３と同芯で回転し排風側に近接配置した切断刃５６及びその回転面に沿った固定抵抗体５２を一対以上有する細断部５０と、風路を形成するファンケース４２により構成した収集装置４を、小形ローンモアー等簡便に動力による走行可能な走行車体２に装着した構成の塵芥収集機。【選択図】　図１
2004092161.tif 000002
【特許請求の範囲】
【請求項１】
走行車体２に塵芥の収集装置４と収納装置７を装着した塵芥収集機において、塵芥を吸引するファン４３と、その排風側の面の対向近接部に細断部５０を配置して収集装置４を構成した事を特徴とする塵芥収集機。
【請求項２】
走行車体２に塵芥の収集装置４と収納装置７を装着した塵芥収集機において、塵芥を吸引するファン４３と、その排風側の面の対向近接部にファン４３と同芯で回転する切断刃５６及び、切断刃５６の回転面に沿った固定の抵抗体５２とを対となし、これを一対以上有する細断部５０を配置して収集装置４を構成した事を特徴とする塵芥収集機。
【請求項３】
固定の抵抗体５２が、切断刃５６の回転面内に沿ったリング状である事を特徴とした請求項２記載の塵芥収集機。
【発明の詳細な説明】
【０００１】
【発明の属する技術分野】
本発明は、地表等に散乱する落葉等の塵芥を効率的に地表より拾い上げ収納する塵芥収集機に関する。
【０００２】
【従来の技術】
地表等に散乱する落葉等の塵芥の収集は、風等により塵芥が多様な地表に拡散しているので路上や樹木の下は勿論、構造物の隅や狭い場所に吹き溜る場合もあり、高馬力で収納容積の大きな大形の機械での収集作業は一部に限られるので、経済的で手軽に使えしかも、塵芥を効率よく細断して収納容量を増やし収納袋の付け替えや排出する頻度の少ない小形の塵芥収集機が必要である。
これ等を解決する技術として
１）切断刃をファン外周に設け固定刃をファンケース吐出口付近に配置し塵芥を
細断し収納する塵芥収集機、例えば、特開平９−１９２４３３号
２）排出ダクトより排出した塵芥をスクリュウ式圧縮装置で圧縮し収納する塵芥収集機、例えば、実登２５１１４９６号
等が公知としてある。
【０００３】
【発明が解決しようとする課題】
前記公知技術を織り込んだ塵芥収集機１）では、ファンの外周に切断刃を装着しているため、ファンケースが大きく吸引する面積が広くなるので多量の吸引風を必要とし、更に、固定刃が吐出口付近のみに配置されているため、集中した塵芥を切断するので強力な切断力が必要となり大きな断続音が発生し、又、ビニール等切断し難い塵芥の堆積によりエンジン停止に繋がる問題が生じる。
２）では、圧縮装置を排出ダクト後方に設けているため、機械の前後バランスが取りにくく、又、収納装置が圧縮装置の分だけ後方にずれ全長が長くなる問題が生じる。
【０００４】
【課題を解決するための手段】
本発明の解決しようとする課題は以上の如くであり、次にこの課題を解決するための技術的手段を説明する。
即ち、請求項１においては、走行車体２に塵芥の収集装置４と収納装置７を装着した塵芥収集機において、塵芥を吸引するファン４３と、その排風側の面の対向近接部に細断部５０を配置して収集装置４を構成した事を手段として用いた。
【０００５】
また、請求項２においては、走行車体２に塵芥の収集装置４と収納装置７を装着した塵芥収集機において、塵芥を吸引するファン４３と、その排風側の面の対向近接部にファン４３と同芯で回転する切断刃５６及び、切断刃５６の回転面に沿った固定の抵抗体５２とを対となし、これを一対以上有する細断部５０を配置して収集装置４を構成した事を手段として用い、請求項３においては、請求項２記載の固定の抵抗体５２が、切断刃５６の回転面内に沿ったリング状である事を手段として用いた。
【０００６】
【発明の実施と形態】
次に、本発明の実施の形態を添付の図面を用いて説明する。
図１は本発明を織り込んだ塵芥収集機の一部断面を施した全体側面図、図２は同じく全体平面図、図３は収集装置の側面断面図、図４は同じく底面図、図５は同じく側面模式図、図６は別の実施例Ａの収集装置の側面断面図、図７は同じく底面図、図８は同じく側面模式図、図９は別の実施例Ｂの側面模式図、図１０は別の実施例Ｃの側面模式図である。
【０００７】
まず、本発明を織り込んだ塵芥収集機の全体の構成を図１、図２、図３、図４を用いて説明する。
塵芥収集機の全体は、機枠と風路を形成するファンケース４２に、中央上面にエンジン１０を、後部にミッションケース１４と連動連結した駆動車輪３１Ｌ・３１Ｒ及び機体を操縦するハンドル２１を、前部に前車輪３２Ｌ・３２Ｒを装着した走行車体２と、ファンケース４２中央下部に収集装置４を、後方排出口４８付近に収納装置７を夫々配置して構成しており、更に収集装置４はファン４３と細断部５０で構成している。
【０００８】
本発明を実施した塵芥収集機の動きを説明すると、市場に普及しているローンモアーと同様な取り扱いの小形軽量な機械に纏めており、始動ロープ１３を引いてエンジン１０を始動し、機体後方に延設したハンドル２１の左後部に配置したアクセルレバー２３によって回転速度を調節し、後端に配置した走行クラッチレバー２５を押す・離す操作により機体の発進停止を行ない、作業クラッチレバー２６も、押す・離す操作により回転ドラム４４に固着したファン４３及び切断部５０への動力の断続を行ない、又、機体の旋回や方向修正はハンドル２１を下に押し下げ駆動車輪３１Ｌ・３１Ｒを支点として前車輪３２Ｌ・３２Ｒを浮かせ気味にし左右に振って行なう等、一般的で簡単な操作操縦で安全に取り扱うことができる。
【０００９】
また、ファンケース４２後部排出口面に装着した収納装置７の収納袋７１は、ファンケース４２へ収納袋枠７１ｂにより上部でフック係合で装着すると共に、通気性のある布の形状を収納袋枠７１ｂにより維持し、収集作業で収納袋７１が満杯になれば収納袋把手７１ｃを握り持ち上げれば取り外せる構造であるので、空の収納袋７１に付け替え短時間で次の作業を開始することができる。
なお、満杯の収納袋７１は別の運搬手段により集めて所定の排出場所で排出し再度収集作業に使用する。
【００１０】
次に、走行装置２の構成は、風路と機枠を形成するファンケース４２の中央上面に、下方垂直方向に延出する作業ＰＴＯ軸１１と後方水平方向に延出する走行ＰＴＯ軸１２を具備するエンジン１０を固着し、走行ＰＴＯ軸１２とファンケース４２後部に設けたミッションケース１４のミッション入力軸１５とを連動連結し、ミッションケース１４内の伝動具を介してファンケース４２の左右に延出する車輪駆動軸１７ａを連動連結し、この両端に固着する歯車１７ｂＬ・１７ｂＲと駆動車輪３１Ｌ・３１Ｒに固着する内歯車３１ｂＬ・３１ｂＲとを係合し動力を伝え機体を走行する構造である。
【００１１】
なお、駆動輪取付具３５Ｌ・３５Ｒは、一端を車輪駆動軸１７ａと同芯で有段的に回動可能にファンケース４２の左右側面に係合し、他端の外側に延出する軸に駆動車輪３１Ｌ・３１Ｒを係合するので、車輪によるファンケース４２の上下調節でも歯車の噛み合い上の問題は生じない構造である。
更に、ファンケース４２前方に配置した前輪取付具３６Ｌ・３６Ｒは、一端を有段的に回動可能にファンケース４２の左右側面に係合し、他端の外側に延出する軸に前車輪３２Ｌ・３２Ｒを回転自在に取り付けた構造であり、これにより前輪の上下調節が可能になる。
上記前後車輪の上下調節を行なうことでファンケース４２の対地高さが変更される。
【００１２】
また、ファンケース４２後方上部には、後方に延設するループ状のハンドル２１をハンドル固定具２８Ｌ・２８Ｒにより上下回動調節可能に固着し、更にハンドル２１の左後方にエンジン１０と連結して回転速度を調節するアクセルレバー２３を、後部にクラッチ部４０と連結するループ形状の作業クラッチレバー２６を、左後端にはミッションケース１４のクラッチと連結する走行クラッチレバー２５を配置し後方での操縦を容易にした構造である。
【００１３】
次に、本発明を織り込んだ収集装置４の構成を詳細に説明する。
プロペラ式のファン４３は、地表面を負圧にして塵芥を吸引し、排風で塵芥を収納装置７へ搬送する機能を持ち、作業ＰＴＯ軸１１の下端に回転自在に取り付けた回転ドラム４４の下面にファン４３を着脱可能に固着した構成で、回転ドラム４４は、その上部に装着したクラッチ部４０により、クラッチ入りでは作業ＰＴＯ軸１１と摩擦的に連結し、切りでは作業ＰＴＯ軸１１との連結を開放し固定部と摩擦的に連結する構造であり、切りでは回転ドラム４４にブレーキが掛かる係合である。
【０００１４】
細断部５０は、少ない所要動力で収納容量に最も有利な大きさに塵芥を細断するもので、ファンケース４２と抵抗体固定具５３・５３・・により固定したリング状の抵抗体５２をファン４３上方近接部に平行配置すると共に、回転ドラム４４のアーム先端に着脱可能に固着し自由回転する円盤の切断刃５６Ｌ・５６Ｒを抵抗体５２の上方近接部に配置し、更に抵抗体固定具５３により固定したリング状の上部抵抗体５１を切断刃５６Ｌ・５６Ｒ上方近接部に平行配置すると共に、回転ドラム４４アーム先端に着脱可能に固着した上部切断刃５５Ｌ・５５Ｒを上部抵抗体５１の上方近接部に設けた構造である。
尚、実施例では、いずれの切断刃も切れ味の耐久性を維持するため円盤を用いているが、一般的な長方形の切断刃でもよい。
図５は、実施例の構成を模式的に表わした図で、ファン４３上方に抵抗体５２と切断刃５６の組み合わせを１対とすれば、２対配置した細断部５０を表わす。
【００１５】
図６、７は別の実施例Ａの細断部５０を示すもので、回転ドラム４４下方に着脱可能に固着したファン４３と、この上方所定位置に切断刃５６Ｌ・５６Ｒを着脱可能に固着し、さらに抵抗体固定具５３・５３・・により固定した網状抵抗体６１を切断刃５６Ｌ・５６Ｒ上方近接部に平行配置すると共に、回転ドラム４４に着脱可能に固着した上部切断刃５５Ｌ・５５Ｒを網状抵抗体６１の上面近接部に設けた構造であり、網状抵抗体６１を放射状網目で図示しているが、塵芥を細断する大きさに合ったメッシュの金網を配置してもよい。
図８は、別の実施例Ａの構成を模式的に表わした図で、網状抵抗体６１の下面及び上面に切断刃を配置した細断部５０を表わす。
【００１６】
図９は別の実施例Ｂの収集装置４を模式的に表わした図で、ファン４３を挟んで下方に下部切断刃５７と上方に切断刃５６Ｌ・５６Ｒを配置し、さらに抵抗体固定具５３により固定した網状抵抗体６１を切断刃５６Ｌ・５６Ｒ上方近接部に平行配置した収集装置４を表わす。
図１０は別の実施例Ｃの収集装置４を模式的に表わした図で、作業ＰＴＯ軸１１よりブラシ伝動具６６を介して同芯で低速回転のブラシ体６５を地表に接する位置に配置し、一方回転ドラム４４をドラム伝動具６７を介して同芯で高速回転し、これに細断部５０を組み合わせた収集装置４を表わす。
【００１７】
【発明の効果】
本発明は以上のような構成にしたので、次のような効果が得られる。
即ち、請求項１記載のように、走行車体に塵芥の収集装置と収納装置を装着した塵芥収集機において、塵芥を吸引するファンと、その排風側の面の対向近接部に細断部を配置して収集装置を構成した事により、ファンケースを大きくする必要がなく又、細断部の重量が各車輪にバランスよく配分され機体の前後バランスも支障ないので軽量小形の機械に纏められ、更に塵芥を切断刃の回転範囲内のいずれの場所でも細断することになり、細断による負荷変動が少なく小容量のエンジンでも収集作業が可能となり、しかも収集袋の収納容量が増大し付け替え頻度が低減する効果が得られる。
【００１８】
また、請求項２記載のように、走行車体に塵芥の収集装置と収納装置を装着した塵芥収集機において、塵芥を吸引するファンと、その排風側の面の対向近接部にファンと同芯で回転する切断刃及び、切断刃の回転面に沿った固定の抵抗体とを対となし、これを一対以上有する細断部を配置して収集装置を構成した事により、高能率の細断部が機体の大きさやレイアウトを変更することなくシリーズ的に纏められる効果が得られる。
また、請求項３記載のように、抵抗体を単純なリング状にすることにより排風に対しては緩やかな抵抗となり、切断刃の回転範囲内のいずれの場所でも塵芥に抵抗を与え細断しやすく、塵芥の停滞による細断負荷変動が少ない効果が得られる。
【００１９】
これ等の効果を織り込むことにより、樹木の下や狭い場所での塵芥収集作業を経済的で手軽に使えしかも、塵芥を効率よく細断して収納袋の付け替えや排出頻度が少なく、一般的な操作で隅々まできめ細かく操縦できる、落葉などの収集に適する小形の塵芥収穫機を供給することが可能となった。
【図面の簡単な説明】
【図１】本発明を織り込んだ塵芥収集機の一部断面を施した全体側面図である。
【図２】同じく全体平面図である。
【図３】同じく要部断面図である。
【図４】同じく底面図である。
【図５】同じく側面模式図である。
【図６】本発明を織り込んだ別の実施例Ａの側面図である。
【図７】同じく底面図である。
【図８】同じく側面模式図である。
【図９】本発明を織り込んだ別の実施例Ｂの側面模式図である。
【図１０】本発明を織り込んだ別の実施例Ｃの側面模式図である。
【符号の説明】
２　　　走行車体
４　　　収集装置
７　　　収納装置
４０　　クラッチ部
５０　　細断部
６１　　網状抵抗体
【図１】
2004092161.tif 000003
【図２】
2004092161.tif 000004
【図３】
2004092161.tif 000005
【図４】
2004092161.tif 000006
【図５】
2004092161.tif 000007
【図６】
2004092161.tif 000008
【図７】
2004092161.tif 000009
【図８】
2004092161.tif 000010
【図９】
2004092161.tif 000011
【図１０】
2004092161.tif 000012